【手続補正書】
【提出日】令和3年2月16日(2021.2.16)
【手続補正１】
【補正対象書類名】特許請求の範囲
【補正対象項目名】全文
【補正方法】変更
【補正の内容】
【特許請求の範囲】
【請求項１】
特定の操作部材に対する第１の時間未満の操作に応じて選択の変更が可能な選択候補群である割当候補群に第１の選択候補群が割り当てられた第１の状態において、
前記特定の操作部材が操作開始され、前記第１の時間未満で操作終了すると、前記第１の選択候補群に含まれた複数の候補のいずれかに、選択された候補を変更し、
前記特定の操作部材が操作開始され、前記特定の操作部材に対する操作が前記第１の時間以上継続すると、前記割当候補群に第２の選択候補群が割り当てられた第２の状態に状態を変更し、
前記第２の状態において、前記特定の操作部材が操作開始され、前記第１の時間未満で操作終了すると、前記第２の選択候補群に含まれた複数の候補のいずれかに、選択された候補を変更する
ように制御する制御手段
を有し、
第１の動作モードにおいて、前記特定の操作部材が操作開始され、前記第１の時間未満で操作終了すると、前記制御手段は、選択された候補を前記選択候補群に含まれる複数の候補のいずれかに変更するように制御し、
第２の動作モードにおいて、前記特定の操作部材が操作開始され、前記第１の時間未満で操作終了しても、前記制御手段は、選択された候補を変更するように制御しない
ことを特徴とする電子機器。
【請求項２】
前記複数の候補は撮影に関する複数の設定候補であり、
前記選択された候補は設定される設定候補である
ことを特徴とする請求項１に記載の電子機器。
【請求項３】
前記第１の選択候補群は第１の設定項目に関する設定候補群であり、
前記第２の選択候補群は第２の設定項目に関する設定候補群である
ことを特徴とする請求項２に記載の電子機器。
【請求項４】
前記第２の動作モードにおいて、前記特定の操作部材に対する操作が第２の時間以上継続すると、前記制御手段は、前記第１の動作モードに遷移するように制御する
ことを特徴とする請求項１に記載の電子機器。
【請求項５】
前記第２の時間は前記第１の時間と等しい
ことを特徴とする請求項４に記載の電子機器。
【請求項６】
前記第１の動作モードにおいて、前記電子機器に対する操作が行われない状態が第３の時間継続すると、前記制御手段は、前記第２の動作モードに遷移するように制御する
ことを特徴とする請求項１〜５のいずれか１項に記載の電子機器。
【請求項７】
前記第１の時間は前記第３の時間よりも短い
ことを特徴とする請求項６に記載の電子機器。
【請求項８】
前記第１の時間は０．５秒以上２秒以下であり、
前記第３の時間は２秒より長い
ことを特徴とする請求項６または７に記載の電子機器。
【請求項９】
前記第１の動作モードに遷移すると、前記制御手段は、前回の前記第１の動作モードの際に割り当てられていた選択候補群を前記割当候補群に割り当てるように制御する
ことを特徴とする請求項１〜８のいずれか１項に記載の電子機器。
【請求項１０】
前記第１の動作モードに遷移すると、前記制御手段は、前回の前記特定の動作モードの際に割り当てられていた選択候補群にかかわらず、前記第１の選択候補群を前記割当候補群に割り当てるように制御する
ことを特徴とする請求項１〜８のいずれか１項に記載の電子機器。
【請求項１１】
前記制御手段は、
前記特定の操作部材が操作開始され、前記第１の時間以上かつ第４の時間未満で操作終了すると、所定の切り替え順に従って前記割当候補群に割り当てる選択候補群を切り替えるように制御し、
前記特定の操作部材に対する操作が前記第４の時間以上継続すると、前記所定の切り替え順にかかわらず、前記第１の選択候補群を前記割当候補群に割り当てるように制御する
ことを特徴とする請求項１〜１０のいずれか１項に記載の電子機器。
【請求項１２】
前記特定の操作部材が操作開始され、前記特定の操作部材に対する操作が前記第１の時間以上継続すると、前記制御手段は、所定の切り替え順に従って、前記割当候補群に割り当てる選択候補群を切り替えるように制御し、
前記第１の選択候補群は、前記所定の切り替え順における１番目の選択候補群である
ことを特徴とする請求項１０または１１に記載の電子機器。
【請求項１３】
前記制御手段は、さらに、前記割当候補群に割り当てられる選択候補群を示す表示を行うように制御する
ことを特徴とする請求項１〜１２のいずれか１項に記載の電子機器。
【請求項１４】
前記割当候補群に割り当てることが可能な選択候補群の数は、１つの選択候補群に含ませることが可能な候補の最大数よりも少ない
ことを特徴とする請求項１〜１３のいずれか１項に記載の電子機器。
【請求項１５】
前記割当候補群として割り当てることが可能な選択候補群のそれぞれに含まれる候補の数は、いずれの選択候補群においても１０個以下である
ことを特徴とする請求項１〜１４のいずれか１項に記載の電子機器。
【請求項１６】
前記割当候補群として割り当てることが可能な選択候補群の数は、５個以下である
ことを特徴とする請求項１〜１５のいずれか１項に記載の電子機器。
【請求項１７】
前記割当候補群に割り当て可能な選択候補群と、前記特定の操作部材に対する前記第１の時間以上の操作に応じた前記割当候補群への割当の切り替え順との少なくとも一方をユーザーが登録可能である
ことを特徴とする請求項１〜１６のいずれか１項に記載の電子機器。
【請求項１８】
前記制御手段は、さらに、
選択された候補の変更を短音の出力で通知し、
前記割当候補群に割り当てられた選択候補群が変更されると、変更後の選択候補群を、出力される長音の回数で通知するように制御する
ことを特徴とする請求項１〜１７のいずれか１項に記載の電子機器。
【請求項１９】
前記制御手段は、さらに、
選択された候補の変更を発光部の第１の色の点滅で通知し、
前記割当候補群に割り当てられた選択候補群が変更されると、変更後の選択候補群を、前記発光部の第２の色の点滅の回数で通知するように制御する
ことを特徴とする請求項１〜１８のいずれか１項に記載の電子機器。
【請求項２０】
前記制御手段は、さらに、
選択された候補の変更を、前記電子機器の、弱振動と短振動の少なくとも一方である第１の振動で通知し、
前記割当候補群に割り当てられた選択候補群が変更されると、変更後の選択候補群を、前記電子機器の、強振動と長振動の少なくとも一方である第２の振動の回数で通知するように制御する
ことを特徴とする請求項１〜１９のいずれか１項に記載の電子機器。
【請求項２１】
特定の操作部材に対する第１の時間未満の操作に応じて選択の変更が可能な選択候補群である割当候補群に第１の選択候補群が割り当てられた第１の状態において、前記特定の操作部材が操作開始され、前記第１の時間未満で操作終了すると、前記第１の選択候補群に含まれた複数の候補のいずれかに、選択された候補を変更するように制御するステップと、
前記第１の状態において、前記特定の操作部材が操作開始され、前記特定の操作部材に対する操作が前記第１の時間以上継続すると、前記割当候補群に第２の選択候補群が割り当てられた第２の状態に状態を変更するように制御するステップと、
前記第２の状態において、前記特定の操作部材が操作開始され、前記第１の時間未満で操作終了すると、前記第２の選択候補群に含まれた複数の候補のいずれかに、選択された候補を変更するように制御するステップと、
を有し、
第１の動作モードにおいて、前記特定の操作部材が操作開始され、前記第１の時間未満で操作終了すると、選択された候補を前記選択候補群に含まれる複数の候補のいずれかに変更するように制御され、
第２の動作モードにおいて、前記特定の操作部材が操作開始され、前記第１の時間未満で操作終了しても、選択された候補を変更するように制御されない
ことを特徴とする電子機器の制御方法。
【請求項２２】
コンピュータを、請求項１〜２０のいずれか１項に記載の電子機器の各手段として機能
させるためのプログラム。
【請求項２３】
コンピュータを、請求項１〜２０のいずれか１項に記載の電子機器の各手段として機能させるためのプログラムを格納したコンピュータが読み取り可能な記録媒体。
【手続補正２】
【補正対象書類名】明細書
【補正対象項目名】００１０
【補正方法】変更
【補正の内容】
【００１０】
本発明の電子機器は、特定の操作部材に対する第１の時間未満の操作に応じて選択の変更が可能な選択候補群である割当候補群に第１の選択候補群が割り当てられた第１の状態において、前記特定の操作部材が操作開始され、前記第１の時間未満で操作終了すると、前記第１の選択候補群に含まれた複数の候補のいずれかに、選択された候補を変更し、前記特定の操作部材が操作開始され、前記特定の操作部材に対する操作が前記第１の時間以上継続すると、前記割当候補群に第２の選択候補群が割り当てられた第２の状態に状態を変更し、前記第２の状態において、前記特定の操作部材が操作開始され、前記第１の時間未満で操作終了すると、前記第２の選択候補群に含まれた複数の候補のいずれかに、選択された候補を変更するように制御する制御手段を有し、第１の動作モードにおいて、前記特定の操作部材が操作開始され、前記第１の時間未満で操作終了すると、前記制御手段は、選択された候補を前記選択候補群に含まれる複数の候補のいずれかに変更するように制御し、第２の動作モードにおいて、前記特定の操作部材が操作開始され、前記第１の時間未満で操作終了しても、前記制御手段は、選択された候補を変更するように制御しないことを特徴とする。